(57)【要約】【課題】軽量化した放熱構造すなわち放熱ユニットを提供する目的とするものである。【解決手段】電子機器の一つの面に配置して内部と外部を仕切る仕切り板９と、この仕切り板９に設けた熱交換体１１と、前記仕切り板９の前記電子機器の内部側に配置した送風機１０とで構成した放熱ユニット１６であって、前記熱交換体１１は、前記電子機器の外側に向けて縦方向に山と谷を交互に繰り返す尾根部分１５と谷が連続する谷間形状部分１７を横方向に並べた板体であることを特徴とする。【選択図】図４
2011119424.tif 000002
【特許請求の範囲】
【請求項１】
電子機器の一つの面に配置して内部と外部を仕切る仕切り板と、この仕切り板に設けた熱交換体と、前記仕切り板の前記電子機器の内部側に配置した送風機とで構成した放熱ユニットであって、前記熱交換体は、前記電子機器の外側に向けて縦方向に山と谷を交互に繰り返す尾根部分と谷が連続する谷間形状部分を横方向に並べた板体であることを特徴とした放熱ユニット。
【請求項２】
熱交換体は一体に形成された板体であって、前記尾根部分と谷間形状部分が電子機器の内側と外側に長溝状の通風路を形成する請求項１記載の放熱ユニット。
【請求項３】
尾根部分の谷に隣接する谷間形状部分は、前記尾根部分の谷と同高さに隆起させた突出形状を形成した請求項１から２のいずれか一つに記載の放熱ユニット。
【請求項４】
仕切り板は熱交換体に空気を出入りさせる横長に形成した開口を少なくとも上下２箇所に設けた請求項１から３のいずれか一つに記載の放熱ユニット。
【請求項５】
仕切り板の開口は尾根部分の山の位置に対応させて設けた請求項４記載の放熱ユニット。
【請求項６】
送風機は仕切り板の開口から熱交換体に空気を吹きこむように設けた請求項４記載の放熱ユニット。
【請求項７】
仕切り板は熱交換体の谷に対応させて電子機器の内側に向けて膨出させた膨出帯を備えた請求項１から６のいずれか一つに記載の放熱ユニット。
【請求項８】
山の中央部を貫通するトンネル部分を設けた請求項１から４、７のいずれか一つに記載の放熱ユニット。
【請求項９】
仕切り板は熱伝導部材を介して前記電子機器の発熱部品に接触させた請求項１から８のいずれか一つに記載の放熱ユニット。
【請求項１０】
熱交換体を樹脂成型にて構成した請求項１から９のいずれか一つに記載の放熱ユニット。
【請求項１１】
請求項１から１０のいずれか一つに記載の放熱ユニットを搭載した電子機器。
【発明の詳細な説明】
【技術分野】
【０００１】
本発明は、高所に設置して使用する電子機器とそれに使用する放熱ユニットに関するものである。
【背景技術】
【０００２】
例えば、電子機器は、その表面に情報を表示する表示装置を備え、この表示装置の裏側にはこの表示装置を駆動する制御装置を備え、その外側を仕切り板で覆っていた。そして、この電子機器は、天井から吊り下げていた（例えば特許文献１）。
【先行技術文献】
【特許文献】
【０００３】
【特許文献１】特開平７―３２２１７２号公報
【発明の概要】
【発明が解決しようとする課題】
【０００４】
このような電子機器を特に屋外に設置する場合、表示装置と制御装置から発生する熱を放熱するために、放熱構造は、電子機器の裏側のカバーに放熱器を配置するとともに、内部にファンを配置し、空気を攪拌して、電子機器内部に充満した熱を放熱器から外部へ放出するものであった。そしてこの放熱器は、アルミニウム等金属性のブロックで形成したものを前記カバーと一体にして設けていた。さらに、カバー内側では、金属製の熱伝導体を制御装置内の発熱部品と放熱器の間に接触させて設け、発生する熱を前記放熱器へ伝導させていた。そのため、電子機器は、重量が重くなり、高所に吊り下げるのに強固な吊り下げ部材が必要であった。そこで本発明は、放熱構造すなわち放熱ユニットの軽量化をすることを目的とするものである。
【課題を解決するための手段】
【０００５】
そして、この目的を達成するために、本発明の放熱ユニットは、電子機器の一つの面に配置して内部と外部を仕切る仕切り板と、この仕切り板に設けた熱交換体と、前記仕切り板の前記電子機器の内部側に配置した送風機とで構成した放熱ユニットであって、前記熱交換体は、前記電子機器の外側に向けて縦方向に山と谷を交互に繰り返す尾根部分と谷が連続する谷間形状部分を横方向に並べた板体であることを特徴としたものであり、これにより所期の目的を達成するものである。    
【発明の効果】
【０００６】
本発明によれば、放熱ユニットは、電子機器の一つの面に配置して内部と外部を仕切る仕切り板と、この仕切り板に設けた熱交換体と、前記仕切り板の前記電子機器の内部側に配置した送風機とで構成した熱交換器であって、前記熱交換体は、前記電子機器の外側に向けて縦方向に山と谷を交互に繰り返す尾根部分と谷が連続する谷間形状部分を横方向に並べた板体であるという特徴を有する。これにより、電子機器の内部側から空気を強制的に熱交換体内へ送風して、熱交換体を介して電子機器の外部側へ放熱することができ、熱交換体を板体で構成することで軽量化した放熱ユニットを提供するという効果を奏する。
【図面の簡単な説明】
【０００７】
【図１】本発明の実施の形態１の表示装置の設置状態を示す図
【図２】同表示装置の背面図
【図３】同表示装置の側断面図（（ａ）対流風路の動作を示す図、（ｂ）放熱風路の動作を示す図）
【図４】同放熱ユニットの構成を示す図
【図５】同放熱ユニットを表示装置に取り付けた状態を示す背面図
【図６】同放熱ユニットの構造を示す図（（ａ）熱交換体の概観図、（ｂ）尾根部分Ａ−Ａ断面において放熱風路と対流風路を示す図）
【図７】仕切り板に熱伝導部材を接触させる構成を示す図
【図８】同実施の形態２の放熱ユニットの構成を示す図（（ａ）熱交換体の概観図、（ｂ）谷間形状部Ｂ−Ｂ断面において突出形状を示す図、（ｃ）尾根部分Ａ―Ａ断面において放熱風路と対流風路を示す図）
【図９】同実施の形態３の熱交換体の構成を示す図  （（ａ）熱交換体の概観図、（ｂ）尾根部分Ａ−Ａ断面において放熱風路と対流風路を示す図）
【図１０】同実施の形態４の放熱ユニットを表示装置に取り付けた状態を示す背面図（（ａ）横長設置状態を示す図、（ｂ）縦長設置状態を示す図）
【図１１】同実施の形態４の基本構成を金属製のヒートシンクに実施した場合の概観を示す図
【図１２】同実施の形態５の熱交換体の構成を示す図（（ａ）熱交換体を仕切り板に取り付けた図、（ｂ）熱交換体の構成を示す図）
【発明を実施するための形態】
【０００８】
本発明の請求項１記載の放熱ユニットは、電子機器の一つの面に配置して内部と外部を仕切る仕切り板と、この仕切り板に設けた熱交換体と、前記仕切り板の前記電子機器の内部側に配置した送風機とで構成した放熱ユニットであって、前記熱交換体は、前記電子機器の外側に向けて縦方向に山と谷を交互に繰り返す尾根部分と谷が連続する谷間形状部分を横方向に並べた板体であることを特徴とする構成を有する。これにより、電子機器の内部側から空気を強制的に熱交換体内へ送風して、熱交換体を介して電子機器の外部側へ放熱することができ、熱交換体を板体で構成することで軽量化した放熱ユニットを提供するという効果を奏する。
【０００９】
また、請求項２記載の放熱ユニットは、一体に形成された板体であって、前記尾根部分と谷間形状部分が電子機器の内側と外側に長溝状の通風路を形成するという構成を有する。これにより、電子機器の内部側から空気を強制的に熱交換体内へ送風することで、尾根部分の内部側を空気が流れることとなり、谷間形状部分を外部側から空気が対流することで熱交換体を介して電子機器の外部側へ放熱することができ、熱交換体を板体で構成することで軽量化した放熱ユニットを提供するという効果を奏する。
【００１０】
また、請求項３記載の放熱ユニットは、尾根部分の谷に隣接する谷間形状部分は、前記尾根部分の谷と同高さに隆起させた突出形状を形成したという構成を有する。
【００１１】
これにより、谷間形状部分の内部側に仕切り板との間に風路拡大部が形成されて、風路の抵抗を下げるとともに伝熱面積を増加させることができ、谷間形状部分の外部側を流れる空気への放熱量を増加させることができるという効果を奏する。
【００１２】
また、請求項４記載の放熱ユニットは、仕切り板は熱交換体に空気を出入りさせる横長に形成した開口を少なくとも上下２箇所に設けた構成を有する。これにより、一方の開口から空気を流し込み他方の開口から空気を引き出すことで、電子機器の内部側から空気を強制的に熱交換体内へ送風して、熱交換体を介して電子機器の外部側へ放熱することができるという効果を奏する。
【００１３】
また、請求項５記載の放熱ユニットは、仕切り板の開口は尾根部分の山の位置に対応させて設けた構成を有する。これにより、空気を流し込む側では、尾根部分の山に圧力を蓄積して、熱交換体の内部側に安定して空気を流すことができ、電子機器の内部側の空気を熱交換体内へ送風して熱交換体を介して外部側へ放熱することができるという効果を奏する。
【００１４】
また、請求項６記載の放熱ユニットは、送風機は仕切り板の開口から熱交換体に空気を吹きこむように設けた構成を有する。これにより、一方の開口から空気を流し込み他方の開口から空気を引き出すことができ、電子機器の内部側から空気を強制的に熱交換体内へ送風して、熱交換体を介して電子機器の外部側へ放熱することができるという効果を奏する。
【００１５】
また、請求項７記載の放熱ユニットは、仕切り板は尾根部分の谷に対応させて電子機器の内側に向けて膨出させた膨出帯を備えた構成を有する。これにより、尾根部分を流れる空気を、尾根部分の山と谷を通過させることができ、膨出帯の作用により、前記谷部分での流れをなめらかにさせることができ空気を蛇行させながら流して、電子機器内部側の熱を外部側へ放熱することができる。
【００１６】
また、請求項８記載の放熱ユニットは、仕切り板は熱伝導部材を介して前記電子機器の発熱部品に接触させた構成を有する。これにより、電子機器内部に配置した発熱部品の熱を空気を介さずに直接仕切り板に伝導させることができ、尾根部分を流れる空気に効率的に熱を伝えるため、熱交換体を介して電子機器の外部側へ効率的に放熱することができる。
【００１７】
また、請求項９記載の放熱ユニットは、山の中央部を貫通するトンネル部分を設けた構成を有する。これにより、放熱風路を流れる空気は、尾根部分の山と谷を流れるときに山部分でトンネル部分によって大きく蛇行させられて流れることになり、また、対流風路を流れる空気は、谷間形状部分に沿って流れ、トンネル部分で隣接する谷間形状部分の空気と出入りを繰り返しながら上昇していくことになり、伝熱面積を大きくすることができ、表示装置内の空気の放熱を大きくすることができる。
【００１８】
また、請求項１０記載の放熱ユニットは、熱交換体を樹脂成型にて構成したものである。この樹脂成型にて構成した熱交換体により、外部側と内部側の気密性を確保するとともに軽量化した放熱ユニットを提供するという効果を奏する。
【００１９】
また、請求項１１記載の電子機器は、放熱ユニットを搭載した構成を有する。これにより、電子機器の内部側から空気を強制的に熱交換体内へ送風して、熱交換体を介して電子機器の外部側へ放熱することができ、軽量化した電子機器を提供するという効果を奏する。
【００２０】
以下、本実施の形態について図面を参照しながら説明する。
【００２１】
（実施の形態１）
図１に示すように、電子機器を代表とする表示装置１は、例えば、薬局の店舗の屋外側に吊り下げられている。
【００２２】
そして、その表面には、例えば「マスクが入荷いたしました。」といったように、人々が待ち望んでいる商品の入荷状況を、リアルタイムで、お客様にお知らせする表示パネル２を設けたものである。
【００２３】
また図２に示すように、その表示装置１の裏面には、多数の孔を設けた裏カバー３を設けている。裏カバー３は、図３（ａ）に示すように、上面と下面と背面は前記多数の孔によりそれぞれ第１開口４、第２開口５、第３開口６を形成したものである。
【００２４】
さて、表示装置１は、上記のように表面にプラズマディスプレイパネルを一例とする電子表示機器を用いた表示パネル２を設け、図３（ａ）に示すように表示装置１の内部には、前記表示パネル２へ情報を映像として表示させる制御を行なう制御装置７を配置し、この制御装置７を覆うカバー８を設ける。また、前記カバー８の背面は、前記制御装置７後方側を開口し、この開口を覆う仕切り板９を設けている。
【００２５】
仕切り板９には、図４に示すように前記カバー８の内部側には送風機１０、カバー８の外部側には  熱交換体１１を配置し、この熱交換体１１は、枠体１２によって前記仕切り板９に圧接させて一体化している。そして、前記カバー８と仕切り板９とを表示装置１の裏面側から前記裏カバー３が覆う構成としている。
【００２６】
また、前記仕切り板９は、上方の一辺に平行にしてかつ横長に形成した上方開口部１３と、同様に下方の一辺に平行にしてかつ横長に形成した下方開口部１４を有する。すなわち、仕切り板９の上方と下方に開けた二つの開口である上方開口部１３と下方開口部１４は、水平方向に伸ばされた横長開口としたものである。
【００２７】
そして、この上方開口部１３と下方開口部１４は、図４に示すように、それぞれ後述する熱交換体１１の尾根部分１５の山１５ａの位置に対向させて配置する。また、図３に示すように、仕切り板９の反対側の面には、上方開口部１３に対向させて、送風機１０を備えている。
【００２８】
また、この送風機１０は、カバー８の内側で、制御装置７の上部に配置されるとともに、送風機１０の吐出側を仕切り板９の上方開口部１３に連結させたものである。つまり送風機１０は、仕切り板９の開口から熱交換体１１に空気を吹きこむように設けた構成を有する。
【００２９】
そして、これら送風機１０、仕切り板９、熱交換体１１、枠体１２で放熱ユニット１６を構成する。
【００３０】
つまり、電子機器である表示装置１本体の制御装置７後方側を開口部とし、この開口部を放熱ユニット１６の仕切り板９で覆ったものである。
【００３１】
このようにして、前記制御装置７の後方に放熱ユニット１６を一体化して設け、この放熱ユニット１６は、図５に示すように横長の表示装置１の制御装置７のブロックごとに区切って熱交換体１１を配置し、一体にして設けたものである。
【００３２】
また、送風機１０は複数の送風ファン１０ａを水平方向に配置した構成としたものである。
【００３３】
図６（ａ）に示すように、熱交換体１１は、表示装置１の外側に向けて縦方向に山１５ａと谷１５ｂを交互に繰り返す尾根部分１５と谷が連続する谷間形状部分１７を交互に横方向に並べた合成樹脂性の板体である。たとえば、ポリスチレン樹脂を使用して成型したものである。
【００３４】
そして、尾根部分１５と谷間形状部分１７は熱交換体１１の表裏において縦方向の長溝状の通風路を形成し、尾根部分１５の裏面に放熱風路２２と谷間形状部分１７の表面に対流風路２１を形成する。
【００３５】
そして、図３（ｂ）に示すように放熱風路２２は、熱交換体１１の内部側に尾根部分１５が並んで形成した複数の溝により、縦方向の風路が形成され、この風路は仕切り板９に設けた開口である上方開口部１３と下方開口部１４部分で水平方向に方向が変更され、コの字状に風路が形成される。
【００３６】
さらに、図６（ｂ）に示すように仕切り板９を尾根部分１５の谷１５ｂに対向する部分を表示装置１の内部側へ向けて膨出させて、前記放熱風路２２を山１５ａと谷１５ｂを交互に蛇行させて空気を通過させる風路を形成する。蛇行させた風路を形成する際、仕切り板９は、尾根部分１５の谷１５ｂに対応させて表示装置１の内側に向けて膨出させた膨出帯２３を備える。
【００３７】
また、対流風路２１は、複数の谷間形状部分１７が並んで縦方向に風路が形成されて、裏カバー３の第１開口４、第２開口５、第３開口６を介して外気と連通する構成としている。
【００３８】
また、図７に示すように、仕切り板９は熱伝導部材２４を介して前記表示装置１の発熱部品２５に接触させた構成とする。特に、仕切り板９は熱伝導率の高い金属などの材料で構成したときは、発熱部品２５の熱が熱伝導部材２４を介して直接仕切り板９に伝導し、熱交換体に発熱部品２５の熱を伝えることにより、効率的に放熱することができる。
【００３９】
このような構成によれば、表示装置１を駆動し、上記のように表示パネル２を点灯させると、人々が待ち望んでいる商品の入荷状況を表示することができるが、制御装置７内の回路部品が大きな熱を発生させる。
【００４０】
すなわち、このような屋外の人々を対象にした表示装置１では、屋内のテレビの表示に比べて表示パネル２の発光輝度を高くする必要があり、非常に大きな電力とそれに伴う大きな熱が発生する。また、表示装置１は屋外で使用するため、埃や雨水の浸入を防ぐように制御装置７をカバー８および放熱ユニット１６によって覆い、表示装置１の内部は密閉された状態であり、表示装置１の内部は非常に大きな熱がこもる構成となる。
【００４１】
そこで、表示パネル２で表示を開始すると、送風機１０を駆動させて、カバー８内で、制御装置７の上方の空気は上方開口部１３から熱交換体１１へ押し込まれ、下方の下方開口部１４から再び表示装置１内へ吹き出される。
【００４２】
そして、送風機１０の作用により、カバー８内の空気が、強制的に放熱風路２２を循環することになる。これにより熱交換体１１の内部に制御装置７から発生した熱が伝えられる。
【００４３】
つまり、仕切り板９外側の熱交換体１１の内側、すなわち尾根部分１５の内側の温度が上昇する。そして、合成樹脂性の板体を境にして表示装置１の外部側の空気との間に熱勾配が生じ、裏カバー３の内側に空気の自然対流が発生する。この自然対流により、熱交換体１１の谷間形状部分１７内を空気が抜けて、第１開口４、第３開口６から空気が外気側へ流れて上昇気流が発生し、第２開口５から外気が流入する。そして自然対流が促進され放熱効果を顕著にすることができる。また、熱交換体１１の内部温度が上昇することで、第３開口６では、熱交換体１１の対流風路２１と外気の間で、図３（ａ）に示すように隣り合った第３開口６間で局部的な対流である微小対流２１ａを発生させ、この微小対流２１ａによる空気の出入りにより熱交換体１１内部つまり表示装置１内部の熱の放熱を促進させることとなる。
【００４４】
熱交換体１１は合成樹脂性の板体としてポリスチレン樹脂を使用したことで熱交換体１１を軽量化することができる。特に放熱用の部品として一般に用いられているアルミニウムを主材料としたヒートシンクに比べて格段の軽量化が図れる。
【００４５】
また、熱交換体１１を一体成型で形成することで表示装置１の内部側と外部側の気密性を容易に確保することができる。
【００４６】
（実施の形態２）
本実施の形態では、実施の形態１の構成に加えて、図８（ａ）に示すように尾根部分１５の谷１５ｂに隣接する谷間形状部分１７には、前記谷１５ｂと同高さに隆起させた突出形状１７ａを形成する。なお、理解を容易にするために、以下の説明において実施の形態１と同一部分については同一符号を付しその説明は簡略化する。
【００４７】
このような谷間形状部分１７の構成すなわち突出形状１７ａによれば、谷間形状部分１７の内部側に仕切り板９との間に風路拡大部が形成されて、放熱風路２２を流れる空気は、仕切り板９と谷間形状部分１７の間の部分にも流れ込みやすくなる。つまり、突出形状１７ａを形成することで、谷間形状部分１７の通気抵抗を低くすることができ、この部分を流れる空気を増大させることができる。また、谷間形状部分１７は外部側において、表面積を大きくすることができる。そして、表示装置１の内部で発生する熱をより多く、外気へ放熱させることができる。
【００４８】
また、表示装置１を図１０（ｂ）のような縦長設置状態に取り付けたときに、外気が尾根部分１５の谷１５ｂを通過していくが、このときに突出形状１７ａと谷１５ｂの高さが同じであるので、上昇気流による空気の移動が滑らかに進み放熱効果を増大させることができる。
【００４９】
（実施の形態３）
本実施の形態では、熱交換体１１の作用をより効果的に発揮させる構成について説明する。実施の形態１の尾根部分１５の山１５ａに換えて本実施の形態では、山１５ｃを備えたところが異なる。その他の部分については、実施の形態１および２の構成と組み合わせることができる。そして、以下の説明において、理解を容易にするために実施の形態１と同一部分については、同一符号を付しその説明は簡略化する。
【００５０】
山１５ｃは、図９（ｂ）に示すように、その中央部を貫通するトンネル部分１５ｄを設けたものである。トンネル部分１５ｄは、熱交換体１１の外部側において外気を流通させるものである。また、熱交換体１１の内部側において放熱風路２２をより蛇行させるものである。
【００５１】
そして、放熱風路２２を流れる空気は、尾根部分１５の山１５ｃと谷１５ｂを流れるときに山１５ｃ部分でトンネル部分１５ｄによって大きく蛇行させられて流れることになる。また、対流風路２１を流れる空気は、谷間形状部分１７に沿って流れ、トンネル部分１５ｄで隣接する谷間形状部分１７の空気と出入りを繰り返しながら上昇していくことになる。つまり、伝熱面積が大きくなり表示装置１内の空気の放熱を大きくすることができる。
【００５２】
特に、表示装置１を図１０（ｂ）のような縦長設置状態に取り付けたときに、外気が前記トンネル部分１５ｄを通過してより大きな放熱効果を得ることができる。
【００５３】
（実施の形態４）
以上のように、放熱ユニットとそれを用いた電子機器の発明について説明をした。すなわち、実施の形態１、２では、熱交換体１１は、図６（ａ）、（ｂ）に示すように、表示装置１の外側に向けて縦方向に山１５ａと谷１５ｂを交互に繰り返す尾根部分１５と谷が連続する谷間形状部分１７を交互に横方向に並べた合成樹脂性の板体であった。そして、尾根部分１５と谷間形状部分１７は熱交換体１１の表裏において縦方向の長溝状の通風路を形成し、尾根部分１５の裏面に放熱風路２２と谷間形状部分１７の表面に対流風路２１を形成している。
【００５４】
すでに説明はしているが、電子機器である表示装置１は、前記のように表面にプラズマディスプレイパネルを一例とする電子表示機器を用いた表示パネル２を設けたものであり、これらは裏カバー３を取り外した図１０（ａ）に示すように、通常縦方向の長さに比べて横方向の長さを長くした形状で設置するものである。つまり、熱交換体１１に設けた尾根部分１５に沿って縦方向に形成された対流風路２１に外部側の空気が流れて放熱を行うものである。
【００５５】
しかし、広告や商品情報の発信およびポスターの用途に使用する場合、使用場所または表示内容によっては、裏カバー３を取り外した図１０（ｂ）に示すように、縦方向を長くして設置する場合もある。そこで、表示装置１は、使用現場での状況に応じて、縦方向、横方向を問わず設置されても内部の放熱を行えるものが要求される。
【００５６】
前述の実施の形態１、２では、図６に示すように、熱交換体１１の尾根部分１５は山１５ａと谷１５ｂを交互に繰り返して形成したものである。また、図８に示すように、谷間形状部分１７に突出形状１７ａを設けたものである。さらに、図９に示すように実施の形態３では、山１５ｃを貫通するトンネル部分１５ｄを備えたものである。
【００５７】
表示装置１の設置方向を図１０（ｂ）に示すように縦方向を長くした場合に尾根部分１５が横方向に配置されることになるが、このような構成にすることによって、表示装置１の外部側を流れる空気は、尾根部分１５を横切って、谷１５ｂまたはトンネル部分１５ｄを流れることとなり、表示装置１の設置方向を縦設置状態にしても縦方向に対流風路２１を形成することができる。
【００５８】
そして、表示装置１の取り付け方向を縦横自在にして設置しても、電子装置の背面に取り付けた放熱ユニット１６はその取り付け向きに左右されることはなく、電子装置の内部で発生する熱を強制的に放熱することができその効果は大きい。
【００５９】
なお、本実施の形態で説明したように、尾根部分１５を山１５ａと谷１５ｂを交互に繰り返して形成した構成、谷間形状部分１７に突出形状１７ａを設けた構成およびトンネル部分１５ｄを設けた構成は、本実施の形態の熱交換体１１のほかに、図１１に示すような金属製のヒートシンク２６に採用しても同様の効果を得ることができる。つまり、ヒートシンク２６の尾根部分２７を山２７ａと谷２７ｂを交互に繰り返して形成し、山２７ａを貫通するトンネル部分２７ｄを設けて構成し、機器の背面に配置することで、本実施の形態の表示装置１のように設置方向を縦横変えて設置する機器に対して放熱効果を発揮することもできる。
【００６０】
（実施の形態５）
以上のように前述の実施の形態にて熱交換体１１を備えた放熱ユニット１６の基本構成とその作用効果を説明した。
【００６１】
本実施の形態では、特に熱交換体１１の別の構成について説明をする。なお、理解を容易にするために以下の説明において、前述の実施の形態１から４と同一部分については、同一符号を付しその説明は簡略化する。
【００６２】
本実施の形態の熱交換体１１は、図１２に示すように、尾根部分１５と谷間形状部分１７を交互に配置した主要部分２８と尾根部分１５と谷間形状部分１７の端面を封止する端面部分２９により構成させる。この端面部分２９は、主要部分２８の端面を外側から覆うものである。
【００６３】
そして、熱交換体１１は、主要部分２８の外側に端面部分２９を覆い溶着させて一体にするものである。
【００６４】
このように構成することで、熱交換体１１は、表示装置１の形状に合わせて、主要部分２８の長さを容易にあわせたものを提供することができる。
【産業上の利用可能性】
【００６５】
本発明にかかる放熱ユニットは、電子機器の一つの面に配置して内部と外部を仕切る仕切り板と、この仕切り板に設けた熱交換体と、前記仕切り板の前記電子機器の内部側に配置した送風機とで構成した放熱ユニットであって、前記熱交換体は、前記電子機器の外側に向けて縦方向に山と谷を交互に繰り返す尾根部分と谷が連続する谷間形状部分を横方向に並べた板体であることを特徴する構成を有する。これにより、電子機器の内部側から空気を強制的に熱交換体内へ送風して、熱交換体を介して電子機器の外部側へ放熱することができ、熱交換体を板体で構成することで軽量化した放熱ユニットを提供することができ、これを用いた電子機器の軽量化をすることができ極めて有用である。
【符号の説明】
【００６６】
１      表示装置
２      表示パネル
３      裏カバー
４      第１開口
５      第２開口
６      第３開口
７      制御装置
８      カバー
９      仕切り板
１０    送風機
１０ａ  複数の送風ファン
１１    熱交換体
１２    枠体
１３    上方開口部
１４    下方開口部
１５    尾根部分
１５ａ  山
１５ｂ  谷
１５ｃ  山
１５ｄ  トンネル部分
１６    放熱ユニット
１７    谷間形状部分
１７ａ  突出形状
２１    対流風路
２１ａ  微小対流
２２    放熱風路
２３    膨出帯
２４    熱伝導部材
２５    発熱部品
２６    ヒートシンク
２７    尾根部分
２７ａ  山
２７ｂ  谷
２７ｄ  トンネル部分
２８    主要部分
２９    端面部分
【図１】
2011119424.tif 000003
【図２】
2011119424.tif 000004
【図３】
2011119424.tif 000005
【図４】
2011119424.tif 000006
【図５】
2011119424.tif 000007
【図６】
2011119424.tif 000008
【図７】
2011119424.tif 000009
【図８】
2011119424.tif 000010
【図９】
2011119424.tif 000011
【図１０】
2011119424.tif 000012
【図１１】
2011119424.tif 000013
【図１２】
2011119424.tif 000014